(57)【要約】【課題】簡単な構成で安定した耐力を確保する。【解決手段】木質構造用パネル２０Ｗ、２０Ｆの接合構造であって、対向して配設される複数の前記木質構造用パネル２０Ｗ、２０Ｆと、木質構造用パネル２０Ｗ、２０Ｆ同士を接合させる高力ボルト２７を備え、パネル本体部２１Ｗの材端面２１ｓ、またはパネル本体部２１Ｆの長辺方向のパネル表面２１ｆには、鋼材プレート２５Ｗ、２５Ｆがネジビス２６で固定され、異なる木質構造用パネル２０Ｗ、２０Ｆの鋼材プレート２５Ｗ、２５Ｆ同士が互いに重ね合わされて、高力ボルト２７で締着されている。【選択図】図１
2019060135.tif 000002
【特許請求の範囲】
【請求項１】
建物を構成する木質構造用パネルであって、
パネル本体部と、
当該パネル本体部の材端面に線状材にて固定された鋼材プレートと、を備え、
当該鋼材プレートは、前記材端面に形成された欠込み部を塞ぐ位置に設置されていることを特徴とする木質構造用パネル。
【請求項２】
木質構造用パネルの接合構造であって、
対向して配設される複数の前記木質構造用パネルと、
前記木質構造用パネル同士を接合させる高力ボルトを備え、
前記木質構造用パネルのパネル本体部の材端面、またはパネル表面には鋼材プレートが線状材で固定されているとともに、
異なる前記木質構造用パネルの前記鋼材プレート同士が互いに重ね合わされて、前記高力ボルトで締着されていることを特徴とする木質構造用パネルの接合構造。
【請求項３】
請求項２に記載の木質構造用パネルの接合構造によって前記木質構造用パネルが複数連結されて、壁を含む構造体が形成されていることを特徴とする壁版建物。
【発明の詳細な説明】
【技術分野】
【０００１】
本発明は、建物を構成する木質構造用パネルと、木質構造用パネルの接合構造、及び木質構造用パネルを複数連結させた壁版建物に関する。
【背景技術】
【０００２】
各種の建物の構造体を構成する壁や床を、木質構造用パネルで構成する場合、壁を構成する木質構造用パネル（以下、これを壁パネルと称する）同士の接合部、床を構成する木質構造用パネル（以下、これを床パネルと称する）と床パネル上に設けられる壁パネルとの接合部等において、パネル同士は、ボルト等で接合されることが多い。
【０００３】
このようなパネル同士の接合強度を高めるため、例えば特許文献１には、木質パネルの両面に沿って棒状部材を設け、木質パネル同士が互いに対向する部分において、一方の木質パネルに沿う棒状部材に埋設固定したボルトと、他方の木質パネルに沿う棒状部材に埋設固定したボルトとを、連結ボックスを介して連結する構成が開示されている。
しかし、特許文献１に開示されたような構成では、木質パネル同士を接合するのに必要なボルトの本数に応じて、木質パネルに沿う棒状部材を設けなければならない。木質パネル同士の接合強度をさらに高めるには、棒状部材及びボルトの本数を増やすことになるが、これでは、パネル同士の接合部の構造が複雑となる。
【０００４】
また、特許文献２には、床パネルの上面上に固定されるジベル部と、ジベル部から垂直上方に延びて壁パネルの表面に沿うガイド部と、を有する断面Ｌ字状の接合部材を用い、床パネルと壁パネルとを接合する構成が開示されている。この構成においては、ジベル部、ガイド部を、それぞれスクリュー釘等で床パネル、壁パネルに固定する。
特許文献２に開示されたような構成では、接合部材は、ジベル部が床パネルにスクリュー釘等で固定され、ガイド部がスクリュー釘等で壁パネルに固定され、床パネルと壁パネルとは、断面Ｌ字状の接合部材を介して接合されている。このため、床パネルと壁パネルとの接合強度を高めるには、接合部材の板厚を増大させる等して接合部材自体を強固にしなければならない。接合部材を強固にすると、接合部材の大型化に繋がるため、接合強度を有効に高めるには限度がある。
【０００５】
さらに、特許文献３には、第一木質系部材と第二木質系部材との間に鋼板を挟み、第一木質系部材及び第二木質系部材と鋼板とを、高力ボルトを用いた締結部材で圧着固定する構成が開示されている。
特許文献３に開示されたような構成では、締結部材で第一木質系部材と第二木質系部材とを締結することで、第一木質系部材、第二木質系部材に生じる圧縮歪みを一定以上とすることで、第一木質系部材と第二木質系部材との接合強度を高めている。接合強度をさらに高めるために第一木質系部材と第二木質系部材との締結部材による締結力を高めると、第一木質系部材、第二木質系部材に生じる圧縮歪みが大きくなりすぎ、第一木質系部材、第二木質系部材に変形が生じてしまう場合がある。したがって、このような構成においても、接合強度を有効に高めるには限度がある。
【先行技術文献】
【特許文献】
【０００６】
【特許文献１】特開２０１１−１４４５０９号公報
【特許文献２】特開平９−１３５４１号公報
【特許文献３】特開２０１１−１４４５３７号公報
【発明の概要】
【発明が解決しようとする課題】
【０００７】
本発明の目的は、簡単な構成で安定した耐力を確保することができる木質構造用パネル、木質構造用パネルの接合構造、及び木質構造用パネルを複数連結させた壁版建物を提供することである。
【課題を解決するための手段】
【０００８】
本発明者らは、木質構造用パネルの接合構造として、木質構造用パネルの材端面やパネル表面に鋼材プレートを固着させるとともに、高力ボルトを締め付けるために鋼材プレートの裏面側のパネル本体に欠込み部や貫通孔を設けて、その欠込み部や貫通孔に高力ボルトの締付け治具を配置し、木質構造用パネルの材端面の鋼材プレート同士を摩擦接合によって接合させた。本接合構造は、簡単な構成でありながら、安定した高い接合強度を確保できるという特徴があり、本発明の木質構造用パネルの接合構造と、その木質構造用パネル同士を複数連結させた壁版建物の発明に至った。
本発明は、上記課題を解決するため、以下の手段を採用する。
すなわち、第１の発明の木質構造用パネルは、建物を構成する木質構造用パネルであって、パネル本体部と、当該パネル本体部の材端面に線状材にて固定された鋼材プレートと、を備え、当該鋼材プレートは、前記材端面形成された欠込み部を塞ぐ位置に設置されていることを特徴とする。具体的には、鋼材プレートは、欠込み部が設けられたパネル本体部の材端面に設置する。
このような構成によれば、木質構造用パネル同士を接合するには、パネル本体部の材端面に固定された鋼材プレート同士を重ね合わせた状態で、高力ボルトで鋼材プレート同士を締結する。すると、互いに重ね合わせた鋼材プレート同士の間に摩擦力が生じる。これにより、パネル本体部の材端面に固定された鋼材プレート同士が摩擦接合され、木質構造用パネル同士を強固に固定できる。
また、高力ボルトを、材端面に形成された欠込み部に配置することで、高力ボルトがパネル本体部を介することなく、互いに重ね合わせた鋼材プレート同士を直接締結することができる。
【０００９】
第２の発明は、木質構造用パネルの接合構造であって、対向して配設される複数の前記木質構造用パネルと、前記木質構造用パネル同士を接合させる高力ボルトを備え、前記木質構造用パネルのパネル本体部の材端面、またはパネル表面には鋼材プレートが線状材で固定されているとともに、異なる前記木質構造用パネルの前記鋼材プレート同士が互いに重ね合わされて、前記高力ボルトで締着されていることを特徴とする。
このような構成によれば、其々の木質構造用パネルに設けられた鋼材プレート同士を重ね合わせた状態で、高力ボルトにて鋼材プレート同士を締め付けて摩擦接合させることで、木質構造用パネル同士を強固に接合することができる。
また、木質構造用パネルには、接合面に対応するパネル本体部の材端面やパネル表面に、線状材を使用して鋼材プレートを固定されていることで、高力ボルトの締め付けで導入されるボルト軸部に生じる圧縮力を、鋼材プレートの平板部分から広い範囲に亘ってほぼ均等に加えることができる。
【００１０】
第３の発明の壁版建物は、上記木質構造用パネルの接合構造によって前記木質構造用パネルが複数連結されて、壁を含む構造体が形成されていることを特徴とする。
このような構成によれば、複数の木質構造用パネル同士が摩擦接合で連結された壁が、鉛直荷重を支持する軸組みと、地震時の水平力を負担する耐力壁として機能することで、このような壁を含む強固な壁版建物の構造体を実現できる。
【発明の効果】
【００１１】
本発明によれば、簡単な構成で安定した耐力を確保することが可能な木質構造用パネル、木質構造用パネルの接合構造、及び木質構造用パネルを複数連結させた壁版建物を実現できる。
【図面の簡単な説明】
【００１２】
【図１】壁版建物の構造体の床を構成する木質構造用パネルと壁を構成する木質構造用パネルとの接合構造を示す斜視展開図である。
【図２】図１の床を構成する木質構造用パネルと壁を構成する木質構造用パネルとの接合構造を示す断面図である。
【図３】床を構成する木質構造用パネルと壁を構成する木質構造用パネルとの接合構造を模した試験体の構成を示す平面図である。
【図４】床を構成する木質構造用パネルと壁を構成する木質構造用パネルとの接合構造を模した試験体の外観図である。
【図５】図３の木質構造用パネルの面内荷重試験体の正面図である。
【図６】（ａ）は面内荷重試験体と木質構造用パネル用の試験装置の構成を示す正面図、（ｂ）は試験状況図である。
【図７】面内荷重試験体と木質構造用パネル用の試験装置の側面図である。
【図８】図３、５に示す木質構造用パネルの面内荷重試験による面内荷重と変位量の関係を示す試験結果である。
【図９】床を構成する木質構造用パネルと壁を構成する木質構造用パネルとの接合構造を模した他の試験体の構成を示す正面図である。
【図１０】図９に示す木質構造用パネルの面外荷重試験による面外荷重と変位量の関係を示す試験結果である。
【図１１】第２の実施形態における、壁を構成する木質構造用パネル同士の接合構造を示す部分斜視図である。
【図１２】第２の実施形態における、壁を構成する木質構造用パネル同士の接合構造を示す断面図である。
【図１３】木質構造用パネルのパネル本体部のパネル表面に鋼材プレートを埋設する変形例を示す部分斜視図である。
【図１４】木質構造用パネルのパネル本体部の材端面に鋼材プレートを埋設する変形例を示す部分拡大図である。
【発明を実施するための形態】
【００１３】
本発明は、建物を構成する木質構造用パネルと、木質構造用パネルの接合構造、及び木質構造用パネルを複数連結された壁版建物である。本発明の木質構造用パネルは、材端面、またはパネル表面に欠込み部を設け、その欠込み部を塞ぐパネル材端面に線状材によって鋼材プレートが固定されている点を特徴とする（図１、図１４）。また、木質構造用パネルの接合構造では、木質構造用パネルの材端面、またはパネル表面に固定された鋼材プレート同士を高力ボルトで摩擦接合される点を特徴とする。第１実施形態は、床板の木質構造用パネルと壁板の木質構造用パネルとの接合構造である（図１、図２）。第２実施形態は、壁板の木質構造用パネル同士の接合構造である（図１１、図１２）。また、壁版建物は、上記木質構造用パネルを複数連結されて、壁部分と床部分、及び屋根部分を形成された構造体である。
以下、添付図面を参照して、本発明による木質構造用パネル、木質構造用パネルの接合構造、及び壁版建物を実施するための形態について、図面に基づいて説明する。
［第１の実施形態］
壁版建物の構造体の床を構成する木質構造用パネルと壁を構成する木質構造用パネルとの接合構造を示す斜視展開図を図１に示す。図１の床を構成する木質構造用パネルと壁を構成する木質構造用パネルとの接合構造を示す断面図を図２に示す。
図１、図２に示されるように、壁版建物（建物）の構造体１を構成する床２と、床２上に設けられる壁３とは、それぞれ木質構造用パネル２０によって形成されている。
床２を構成する木質構造用パネル２０Ｆは、板状のパネル本体部２１Ｆと、パネル本体部２１Ｆの長辺方向のパネル表面２１ｆに設けられた鋼材プレート２５Ｆと、を備えている。
パネル本体部２１Ｆは、例えばＣＬＴ（Ｃｒｏｓｓ  Ｌａｍｉｎａｔｅｄ  Ｔｉｎｂｅｒ）をはじめとする各種の集成材等から形成されている。
鋼材プレート２５Ｆは、鉄やステンレス等の金属材料からなる板材で、パネル本体部２１Ｆのパネル表面２１ｆに、複数のネジビス（線状材）２６によって固定されている。鋼材プレート２５Ｆには、ボルト挿通孔２５ｈが形成されている。この実施形態では、ボルト挿通孔２５ｈは、鋼材プレート２５Ｆの中央部の１個所にのみ形成されているが、鋼材プレート２５Ｆの複数個所に設けるようにしてもよい。
また、パネル本体部２１Ｆには、パネル表面２１ｆとその反対側のパネル裏面２１ｇとを貫通する貫通孔２３が、鋼材プレート２５Ｆのボルト挿通孔２５ｈに連通する位置に形成されている。
【００１４】
壁３を構成する木質構造用パネル２０Ｗは、板状のパネル本体部２１Ｗと、パネル本体部２１Ｗの長手方向の材端面２１ｓに設けられた鋼材プレート２５Ｗと、を備えている。
パネル本体部２１Ｆは、床２を構成するパネル本体部２１Ｆと同様、例えばＣＬＴをはじめとする各種の集成材等から形成されている。
鋼材プレート２５Ｗは、パネル本体部２１Ｗの材端面２１ｓに、複数のネジビス２６で固定されている。このように、パネル本体部２１Ｗの材端面２１ｓや、既に説明したパネル本体部２１Ｆのパネル表面２１ｆに設ける鋼材プレート２５Ｗ、２５Ｆは、並列に配置されたネジビス２６にてパネル本体部２１Ｗ、２１Ｆに固定することで、後に説明するようにパネル本体２１Ｗ，２１Ｆ同士を接合した際に、パネル接合部に作用するねじれ応力を低減し、強固にパネルと一体化できる。
鋼材プレート２５Ｗには、ボルト挿通孔２５ｈが形成されている。
また、パネル本体部２１Ｗには、鋼材プレート２５Ｗが設けられた材端面２１ｓからパネル本体部２１Ｗの長手方向に窪む欠込み部２４が、鋼材プレート２５Ｗのボルト挿通孔２５ｈに連通する位置に形成されている。本実施形態においては、パネル本体部２１Ｗの材端面２１ｓに設ける欠込み部２４は、パネル１枚ごとの材端面２１ｓに１箇所が形成され、欠込み部２４を塞ぐ材端面２１ｓ全面を覆うように鋼材プレート２５Ｗが設置されている。また、鋼材プレート２５Ｗを材端面２１ｓ全面に設けることで、次に説明するようにパネル本体２１Ｗ，２１Ｆ同士を接合した際に、鋼材プレート２５Ｗ、２５Ｆが固定されたパネル本体２１Ｗ，２１Ｆ同士の隙間を無くすことができる。
【００１５】
このような床２を構成する木質構造用パネル２０Ｆと、壁３を構成する木質構造用パネル２０Ｗとは、以下のようにして接合される。
床２を構成する木質構造用パネル２０Ｆ上に、壁３を構成する木質構造用パネル２０Ｗの下端部を接合する場合、木質構造用パネル２０Ｆは、鋼材プレート２５Ｆが設けられたパネル表面２１ｆを上方に向けて配置される。壁３を構成する木質構造用パネル２０Ｗは、木質構造用パネル２０Ｗの下方の材端面２１ｓに設けられた鋼材プレート２５Ｗを、木質構造用パネル２０Ｆの鋼材プレート２５Ｆに重ね合わせて配置される。このとき、鋼材プレート２５Ｆのボルト挿通孔２５ｈと、鋼材プレート２５Ｗのボルト挿通孔２５ｈとは、互いに連通するようにする。
このようにして、木質構造用パネル２０Ｆの鋼材プレート２５Ｆと、木質構造用パネル２０Ｗの鋼材プレート２５Ｗとを互いに重ね合わせた状態で、木質構造用パネル２０Ｗに形成された欠込み部２４から、鋼材プレート２５Ｆのボルト挿通孔２５ｈと鋼材プレート２５Ｗのボルト挿通孔２５ｈとに高力ボルト２７の軸部２７ｓを挿通させる。そして、木質構造用パネル２０Ｆの貫通孔２３内で、高力ボルト２７の軸部２７ｓに、ナット２８を螺着させる。高力ボルト２７及びナット２８は、予め定めた所定のトルクで締結される。
また、壁３を構成する木質構造用パネル２０Ｗの上端部上に、床２を構成する木質構造用パネル２０Ｆを接合する場合、壁３を構成する木質構造用パネル２０Ｗの上方の材端面２１ｓに設けられた鋼材プレート２５Ｗ上に、パネル表面２１ｆを下方に向けた木質構造用パネル２０Ｆの鋼材プレート２５Ｆを重ね合わせて配置する。そして、鋼材プレート２５Ｆのボルト挿通孔２５ｈと、鋼材プレート２５Ｗのボルト挿通孔２５ｈとに、高力ボルト２７の軸部２７ｓを挿通させてナット２８を螺着させ、所定のトルクで締結する。
このようにして、床２を構成する木質構造用パネル２０Ｆと、壁３を構成する木質構造用パネル２０Ｗとの接合部において、互いに重ね合わせた木質構造用パネル２０Ｆの鋼材プレート２５Ｆと木質構造用パネル２０Ｗの鋼材プレート２５Ｗとの間には、高力ボルト２７及びナット２８の締結力による圧縮力が生じる。その結果、鋼材プレート２５Ｆ，２５Ｗの間に生じる摩擦力が高められて、鋼材プレート２５Ｆ，２５Ｗは摩擦接合され、床２を構成する木質構造用パネル２０Ｆと、壁３を構成する木質構造用パネル２０Ｗとが強固に接合される。
【００１６】
ところで、一つの木質構造用パネル２０に複数の欠込み部２４を形成する場合、複数の欠込み部２４を、パネル本体部２１Ｗの同じ側のパネル表面２１ｊに形成せず、互いに異なる側のパネル表面２１ｊとパネル表面２１ｋとに分散して形成するのが好ましい。欠込み部２４をパネル本体部２１Ｗの同じ側に形成した場合には、複数の欠込み部２４が形成されて強度が低下するのに対し、互いに異なる側のパネル表面２１ｊとパネル表面２１ｋとに分散して形成することで、パネル本体部２１Ｗの強度低下を抑えることができる。
【００１７】
［パネル接合部の確認実験］
木質構造用パネルの接合部を対象に、パネルと平行方向、及び直交方句に荷重が作用した場合について、面内せん断抵抗、及び面外せん断抵抗に関する性能検証を行った。図３〜図８に、パネル接合部の面内せん断実験の試験体概要と実験結果を示す。また、図９と図１０に、パネル接合部の面外せん断実験の試験体概要と実験結果を示す。
具体的には、木質構造用パネルの長手方向の材端面に沿ったパネル本体部には欠込み部を形成し、木質構造用パネルの表面の下方側には欠込み部に設ける高力ボルトと整合するように、パネル本体部に対して面外方向に貫通孔２３を設ける。
【００１８】
まず、パネル接合部の面内せん断実験とその結果について説明する。
床を構成する木質構造用パネルと壁を構成する木質構造用パネルとの接合構造を模した試験体の構成を示す平面図を図３に示し、図４に試験体の外観図を示す。また、図３の試験体の正面図を図５に示す。
試験体３０として、木質構造用パネル２０Ｗの両端部に、それぞれ木質構造用パネル２０Ｆをクランク型に接合したものを用いた。ここで、木質構造用パネル２０Ｗのパネル本体部２１Ｗとしては、板厚１５０ｍｍ、長手方向（図３の左右方向）の長さ６００ｍｍ、短手方向（図３の紙面に直交する方向）の長さ３００ｍｍの、スギを用いたＣＬＴ材を用いた。鋼材プレート２５Ｗは、パネル本体部２１Ｗの材端面２１ｓと同じ大きさの１５０×３００ｍｍ、板厚９ｍｍの鋼板を用い、材端面２１ｓにＭ６．５ｍｍのネジビス２６を８本用いて固定した。
また、木質構造用パネル２０Ｆのパネル本体部２１Ｆは、板厚１５０ｍｍ、３００×３００ｍｍの、スギを用いたＣＬＴ材を用いた。鋼材プレート２５Ｆは、板厚９ｍｍ、１５０×３００ｍｍの鋼板を用い、パネル本体部２１Ｆのパネル表面２１ｆに、Ｍ６．５ｍｍのネジビス２６を８本用いて固定した。
木質構造用パネル２０Ｗの両端部の鋼材プレート２５Ｗに対し、それぞれ、木質構造用パネル２０Ｆの鋼材プレート２５Ｆを重ね合わせ、鋼材プレート２５Ｗと鋼材プレート２５Ｆとを、Ｍ１２の高力ボルト２７およびナット２８で、１３２Ｎ・ｍの締付トルクで締結した。
【００１９】
試験装置の構成を示す正面図を図６（ａ）に示し、図６（ｂ）に実験状況図を示す。また、試験装置の側面図を図７に示す。
図６、図７に示されるように、試験装置１００としては、矩形のフレーム１０１の内側に、試験体３０を載置する台１０２と、台１０２上の試験体３０に荷重を加える油圧ジャッキ１０３とを備えたものを用いた。
このような試験装置１００により、両端部に木質構造用パネル２０Ｆが接合された木質構造用パネル２０Ｗに対し、木質構造用パネル２０Ｗのパネル本体部２１Ｆのパネル表面２１ｆ及び材端面２１ｓに直交するパネル側面２１ｔに、パネル表面２１ｆに沿った方向Ｄ１（面内方向）に面外荷重を繰り返し作用させた。実験では、油圧ジャッキ１０３によって加えられた面外荷重をロードセル１０４で計測し、試験体３０の変位量を変位計１０５で計測した。なお、試験体数は３体であり、各試験体で同様の計測を繰り返し行った。
【００２０】
図８に、木質構造用パネルの接合部を対象とした面内荷重試験による面内荷重と変位量関係について、実験結果を実線で示し、実験結果に基づく特性値モデルを破線で示す。実験結果は、繰り返し載荷時における其々の最大面内荷重とその時の変位量の点を順次結んだ包絡線である。また、特性値モデルは、「（公財）日本住宅・木材技術センター発行、２０１６年度ＣＬＴを用いた建築物の設計施工マニュアル、ＰＰ.１５６〜１５８に示された１０.６節の評価方法」に基づく、完全弾塑性モデルである。
実験結果によると、３体の試験体の最大面内荷重は略等しく１００ｋＮ程度であり、最大耐力後の荷重〜変位量関係は緩やかに低下した。また、最大耐力時には、パネル材端面に設けた鋼材プレートをパネル本体部に固定するビスネジがパネルを形成する木材を割りさく現象が確認された。また、実験結果より算定される特性値モデルに着目すると、実験結果の面内荷重と変位量関係の包絡線より求まる完全弾塑性モデルの第１折れ点の終局耐力は５５ｋＮ程度で実験結果の最大面内荷重の約５５％であった。変形性能については、完全弾塑性モデルの第１折れ点の終局耐力時の変位を完全弾塑性モデルの降伏点変位と仮定し、当該降伏点変位に対する実験結果の最大面内荷重後の０.８ＰＭＡＸ時の包絡線上の終局変位との割合で示される塑性率は４を上回った。したがって、実験結果に基づく特性値モデルの降伏耐力、及び終局時変位はともに大きく、エネルギー吸収性能に優れた構造体であることが確認できた。
よって、図６〜図８に示す実験結果と、その特性値モデルとの比較結果から、木質構造用パネルの接合部は、十分な面内せん断抵抗を有することが確認できた。
【００２１】
次に、パネル接合部の面外せん断実験とその結果について説明する。
床を構成する木質構造用パネルと壁を構成する木質構造用パネルとの接合構造を模した木質構造用パネルの面外荷重試験体３１の構成を示す正面図を図９に示す。
図９に示されるように、試験体３１として、木質構造用パネル２０Ｗの両端部に、それぞれ木質構造用パネル２０Ｆを門型状に接合したものを用いた。ここで、木質構造用パネル２０Ｗ、２０Ｆのパネル本体部２１Ｗ、２１Ｆ、鋼材プレート２５Ｗ、２５Ｆとしては、上記と同様のものを用いた。
木質構造用パネル２０Ｗの両端部の鋼材プレート２５Ｗに対し、それぞれ、木質構造用パネル２０Ｆの鋼材プレート２５Ｆを重ね合わせ、鋼材プレート２５Ｗと鋼材プレート２５Ｆとを、Ｍ１２の高力ボルト２７およびナット２８で、１３２Ｎ・ｍの締付トルクで締結した。
このような試験体３１に対し、試験装置１００により、図９に示されるように、両端部に木質構造用パネル２０Ｆが接合された木質構造用パネル２０Ｗのパネル本体部２１Ｆのパネル表面２１ｋに、パネル表面２１ｋに直交する方向Ｄ２（面外方向）に面外荷重を加えた。そのときの、油圧ジャッキ１０３によって加えられた面外荷重をロードセル１０４で計測し、試験体３１の変位量を変位計で計測した。なお、試験体数は３体であり、各試験体で同様の計測を繰り返し行った。
【００２２】
図１０に、木質構造用パネルの接合部を対象とした面外荷重試験による面外荷重と変位量関係について、実験結果を実線で示し、実験結果に基づく特性値モデルを破線で示す。実験結果は、繰り返し載荷時における其々の最大面外荷重とその時の変位量の点を順次結んだ包絡線である。また、特性値モデルは、上述の通り図８に示す評価方法と同様に、完全弾塑性モデルで評価した。
実験結果によると、３体の試験体の最大面外荷重についてはばらつきがみられるものの、３体の試験体の最大面内荷重は略等しく１０３ｋＮ程度であり、完全弾塑性モデルの第１折れ点の終局耐力は５５ｋＮ程度で実験結果の最大面内荷重の約５４％であった。変形性能については、図１０に示すように、完全弾塑性モデルの降伏点変位に対する実験結果による最大面内荷重後の０.８ＰＭＡＸ時の変位量の実験値（終局変位）との比で表わされる塑性率は６を上回り、優れた変形性能が認められた。
したがって、今回の面外せん断実験に基づく特性値モデルの降伏耐力、及び終局時変位は、面内せん断実験の実験結果と同様に、エネルギー吸収性能に優れた構造体であることが確認できた。
【００２３】
上述したような木質構造用パネル２０Ｗによれば、パネル本体部２１Ｗと、パネル本体部２１Ｗの材端面２１ｓにネジビス２６にて固定された鋼材プレート２５Ｗと、を備え、鋼材プレート２５Ｗは、材端面２１ｓに形成された欠込み部２４を塞ぐ位置に設置されている。
このような構成によれば、木質構造用パネル２０Ｗに対して直交する木質構造用パネル２０Ｆを接合する部位において、パネル本体部２１Ｗ、２１Ｆ同士は、パネル本体部２１Ｗ，２１Ｆに固定された鋼材プレート２５Ｗ，２５Ｆ同士を重ね合わせた状態で高力ボルト２７によって締結される。すると、互いに重ね合わせた鋼材プレート２５Ｗ，２５Ｆ同士の間に摩擦力が生じ、鋼材プレート２５Ｗ，２５Ｆが摩擦接合され、木質構造用パネル２０Ｗ，２０Ｆ同士を強固に固定することができる。
また、高力ボルト２７は、材端面２１ｓに形成された欠込み部２４に配置することで、高力ボルト２７がパネル本体部２１Ｗを介することなく、互いに重ね合わせた鋼材プレート２５Ｗ、２５Ｆ同士を直接締結する。
このように上記木質構造用パネル２０Ｗを用いることで、壁版建物の構造体１において、簡単な構成で安定した耐力を確保することが可能となる。
【００２４】
また、上述したような木質構造用パネル２０の接合構造によれば、対向して配設される複数の木質構造用パネル２０（２０Ｗ，２０Ｆ）と、木質構造用パネル２０（２０Ｗ，２０Ｆ）同士を接合させる高力ボルト２７を備え、パネル本体部２１Ｗの材端面２１ｓ、またはパネル本体部２１Ｆの長辺方向のパネル表面２１ｆには、鋼材プレート２５Ｗ，２５Ｆがネジビス２６で固定されているとともに、異なる木質構造用パネル２０（２０Ｗ，２０Ｆ）の鋼材プレート２５Ｗ，２５Ｆ同士が互いに重ね合わされて、高力ボルト２７で締着されている。
このような構成によれば、其々の木質構造用パネル２０に設けられた鋼材プレート２５Ｗ，２５Ｆ同士を重ね合わせた状態で、高力ボルト２７にて鋼材プレート２５Ｗ，２５Ｆ同士を締め付けることで、木質構造用パネル２０同士が高剛性の鋼材プレート２５Ｗ，２５Ｆを挟んで摩擦接合できる。
また、木質構造用パネル２０には、接合面に対応するパネル本体部２１Ｗの材端面２１ｓやパネル本体部２１Ｆのパネル表面２１ｆに、ネジビス２６を使用して鋼材プレート２５Ｗ，２５Ｆが固定されていることで、高力ボルト２７の締め付けで導入される軸部２７ｓに生じる圧縮力を、鋼材プレート２５Ｗ，２５Ｆの平板部分から広い範囲に亘ってほぼ均等に加えることができる。
したがって、簡単な構成で安定した耐力を確保することが可能となる。
通常、木材同士の摩擦接合は容易ではないが、上述したように木材からなるパネル本体部２１Ｗ、２１Ｆに設けた鋼材プレート２５Ｗ、２５Ｆ同士を摩擦接合することにより、木材間の摩擦接合が可能となる。これにより、木材による接合構造であっても、建物の設計施工時における接合強度の力学的な管理が容易である。
【００２５】
また、上述したような壁版建物は、上記木質構造用パネル２０の接合構造によって木質構造用パネル２０が複数連結されて、壁３を含む構造体１が形成されている。
このような構成によれば、複数の木質構造用パネル２０同士が摩擦接合で連結された壁３が、鉛直荷重を支持する軸組みと、地震時の水平力を負担する耐力壁として機能することで、このような壁３を含む強固な壁版建物の構造体１を実現できる。
したがって、簡単な構成で安定した耐力を確保することが可能となる。
【００２６】
［第２の実施形態］
次に、本発明の木質構造用パネル、木質構造用パネルの接合構造、及び壁版建物の第２実施形態について説明する。
第２の実施形態における、壁を構成する木質構造用パネル同士の接合構造について、図１１に部分斜視図を示し、図１２に断面図を示す。図１１、図１２に示されるように、壁版建物の構造体１を構成する壁３は、複数枚の木質構造用パネル２０Ｗを連結することで構成されている。
壁３を構成する木質構造用パネル２０Ｗは、上記第１の実施形態と同様、板状のパネル本体部２１Ｗと、パネル本体部２１Ｗの長手方向の材端面２１ｓに設けられた鋼材プレート２５Ｗと、を備えている。
各パネル本体部２１には、鋼材プレート２５Ｗが設けられた材端面２１ｓから長手方向に窪む欠込み部２４が、鋼材プレート２５Ｗのボルト挿通孔２５ｈに連通する位置に形成されている。
上下に連結される木質構造用パネル２０Ｗの其々の欠込み部２４は、図１２に示されるように、上部側の木質構造用パネル２０Ｗと下部側の木質構造用パネル２０Ｗで同一の側面に設けられておらず、其々反対側の側面に設けられている。また、壁を構成する木質構造用パネル２０Ｗ同士は、図１１に示すように、所定間隔置きに設けられた欠込み部２４を塞ぐように鋼材プレート２５Ｗが配置され、鋼材プレート２５Ｗ同士を摩擦接合させて一体化されている。
【００２７】
このような壁３を構成する複数枚の木質構造用パネル２０Ｗは、以下のようにして接合される。
壁３を構成する複数枚の木質構造用パネル２０Ｗ同士の接合部において、それぞれの木質構造用パネル２０Ｗは、木質構造用パネル２０Ｗの材端面２１ｓに設けられた鋼材プレート２５Ｗ同士を互いに重ね合わせて配置される。このとき、鋼材プレート２５Ｗ同士は、ボルト挿通孔２５ｈが互いに連通するようにする。
このようにして、鋼材プレート２５Ｗ同士を互いに重ね合わせた状態で、一方の木質構造用パネル２０Ｗに形成された欠込み部２４から、互いに重ね合わせた鋼材プレート２５Ｗのボルト挿通孔２５ｈに高力ボルト２７の軸部２７ｓを挿通させる。そして、他方の木質構造用パネル２０Ｆの欠込み部２４内で、高力ボルト２７の軸部２７ｓに、ナット２８を螺着させ、高力ボルト２７及びナット２８を、予め定めた所定のトルクで締結する。
このようにして、木質構造用パネル２０Ｗ同士の接合部において、互いに重ね合わせた鋼材プレート２５Ｗ同士の間には、高力ボルト２７及びナット２８の締結力による圧縮力が生じる。その結果、鋼材プレート２５Ｗ同士の間に生じる摩擦力が高められて、鋼材プレート２５Ｗ同士は摩擦接合され、壁３を構成する複数枚の木質構造用パネル２０Ｗ同士が強固に接合される。
【００２８】
上述したような木質構造用パネル２０Ｗによれば、パネル本体部２１Ｗと、パネル本体部２１Ｗの材端面２１ｓにネジビス２６にて固定された鋼材プレート２５Ｗと、を備え、鋼材プレート２５Ｗは、材端面２１ｓに形成された欠込み部２４を塞ぐ位置に設置されている。
このような構成によれば、木質構造用パネル２０Ｗ同士の接合部において、パネル本体部２１Ｗ同士は、鋼材プレート２５Ｗ同士を重ね合わせた状態で高力ボルト２７によって締結される。すると、互いに重ね合わせた鋼材プレート２５Ｗ同士の間に摩擦力が生じて鋼材プレート２５Ｗ同士が摩擦接合され、木質構造用パネル２０Ｗ同士を強固に固定することができる。
また、高力ボルト２７は、材端面２１ｓに形成された欠込み部２４に配置することで、高力ボルト２７がパネル本体部２１Ｗを介することなく、互いに重ね合わせた鋼材プレート２５Ｗ、２５Ｆ同士を直接締結する。
このように上記木質構造用パネル２０Ｗを用いることで、壁版建物の構造体１において、簡単な構成で安定した耐力を確保することが可能な壁部分を構築できる。
【００２９】
また、上述したような木質構造用パネル２０Ｗの接合構造によれば、対向して配設される複数の木質構造用パネル２０Ｗと、木質構造用パネル２０Ｗ同士を接合させる高力ボルト２７を備え、木質構造用パネル２０Ｗのパネル本体部２１Ｗの材端面２１ｓには、鋼材プレート２５Ｗがネジビス２６で固定されているとともに、異なる木質構造用パネル２０Ｗの鋼材プレート２５Ｗ同士が互いに重ね合わされて、高力ボルト２７で締着されている。
このような構成によれば、其々の木質構造用パネル２０Ｗに設けられた鋼材プレート２５Ｗ同士を重ね合わせた状態で、高力ボルト２７にて鋼材プレート２５Ｗ同士を締め付けることで、木質構造用パネル２０Ｗ同士が高剛性の鋼材プレート２５Ｗを挟んで摩擦接合できる。
また、木質構造用パネル２０Ｗには、接合面に対応するパネル本体部２１Ｗの材端面２１ｓに、ネジビス２６を使用して鋼材プレート２５Ｗが固定されていることで、高力ボルト２７の締め付けで導入される軸部２７ｓに生じる圧縮力を、鋼材プレート２５Ｗの平板部分から広い範囲に亘ってほぼ均等に加えることができる。
したがって、簡単な構成で安定した耐力を確保することが可能となる。
【００３０】
また、上述したような壁版建物は、上記木質構造用パネル２０Ｗの接合構造によって木質構造用パネル２０Ｗが複数連結されて、壁３を含む構造体１が形成されている。
このような構成によれば、複数の木質構造用パネル２０Ｗ同士が摩擦接合で連結された壁３が、鉛直荷重を支持する軸組みと、地震時の水平力を負担する耐力壁として機能することで、このような壁３を含む強固な壁版建物の構造体１を実現できる。
したがって、簡単な構成で安定した耐力を確保することが可能となる。
【００３１】
（実施形態の変形例）
なお、本発明の木質構造用パネル、木質構造用パネルの接合構造、及び壁版建物は、図面を参照して説明した上述の実施形態に限定されるものではなく、その技術的範囲において様々な変形例が考えられる。
例えば、上記各実施形態では、パネル本体部２１Ｗの材端面２１ｓ、パネル本体部２１Ｆの長辺方向のパネル表面２１ｆに、鋼材プレート２５Ｗ、２５Ｆを設けるようにしたが、これに限らない。
木質構造用パネルのパネル本体部のパネル表面に鋼材プレートを埋設する変形例を示す斜視図を図１３に示す。木質構造用パネルのパネル本体部の材端面に鋼材プレートを埋設する変形例を示す部分拡大図を図１４に示す。
図１３に示されるように、パネル本体部２１Ｆのパネル表面２１ｆに、鋼材プレート２５Ｆを埋め込む凹部４０Ｆを形成するようにしてもよい。また、図１４に示されるように、パネル本体部２１Ｗの材端面２１ｓに、鋼材プレート２５Ｗを埋め込む凹部４０Ｗを形成するようにしてもよい。この凹部４０Ｆ、４０Ｗに鋼材プレート２５Ｗ，２５Ｆを埋め込むことで、木質構造用パネル２０Ｗ，２０Ｆ同士の接合部において、鋼材プレート２５Ｗ，２５Ｆが目立つのを抑えることができる。
【００３２】
（その他の変形例）
また、上記各実施形態およびその変形例においては、上記接合構造を、床２を構成する木質構造用パネル２０Ｆと、壁３を構成する木質構造用パネル２０Ｗとの接合部、壁３を構成する木質構造用パネル２０Ｗ同士の接合部に適用するようにしたが、これに限らない。床２を構成する木質構造用パネル２０Ｆ同士や、建物の屋根部を構成する木質構造用パネル同士の接合部等、他の部位にも、本発明を適用するようにしてもよい。
上述の各実施形態では、鋼材プレートは、並列に配置させたネジビスでパネル本体に固定したが、ネジビス単体の固着性能が優れていれば、１列であってもよい。鋼材プレートを１例のネジビスで固定出来れば、短工期、低コストで木質構造用パネルの接合構造、及び木質構造用パネルを複数連結させて壁版建物を実現できる。
これ以外にも、本発明の主旨を逸脱しない限り、上記実施の形態で挙げた構成を取捨選択したり、他の構成に適宜変更したりすることが可能である。
【符号の説明】
【００３３】
１  構造体                              ２４  欠込み部
３  壁                                  ２５Ｆ、２５Ｗ  鋼材プレート
２０、２０Ｆ、２０Ｗ  木質構造用パネル  ２６  ネジビス（線状材）
２１Ｆ、２１Ｗ  パネル本体部            ２７  高力ボルト
２１ｆ  パネル表面                      ３０  木質構造用パネルの面内荷重試験体
２１ｓ  材端面                          ３１  木質構造用パネルの面外荷重試験体
【図１】
2019060135.tif 000003
【図２】
2019060135.tif 000004
【図３】
2019060135.tif 000005
【図４】
2019060135.tif 000006
【図５】
2019060135.tif 000007
【図６】
2019060135.tif 000008
【図７】
2019060135.tif 000009
【図８】
2019060135.tif 000010
【図９】
2019060135.tif 000011
【図１０】
2019060135.tif 000012
【図１１】
2019060135.tif 000013
【図１２】
2019060135.tif 000014
【図１３】
2019060135.tif 000015
【図１４】
2019060135.tif 000016